【事件の表示】
　平成　８年特許願第２７８１０３号「高速チャンネル検出、記憶及び切替え装置」拒絶査定に対する審判事件［平成　９年１１月２８日出願公開、特開平　９−３０７４０５］について、次のとおり審決する。
【結　論】
　本件審判の請求は、成り立たない。
【理　由】
１．手続の経緯、本願発明
　本願は、平成８年１０月２１日（パリ条約による優先権主張１９９６年（平成８年）４月２４日、大韓民国）の出願であって、その請求項１に係る発明は、平成１１年３月１日および平成１２年３月８日付け手続補正書によって補正された明細書の特許請求の範囲の請求項１に記載された事項により特定される次のとおりのもの（以下、「本願発明」という）である。
「自動利得制御（ＡＧＣ）信号の発生を高速制御する高速化駆動部において、
　中間周波信号処理手段から出力されて同調器のＡＧＣに入力されるＲＦ　ＡＧＣの出力を高速制御する第１の高速化駆動手段と、
　中間周波信号処理手段から出力されてＩＦ　ＡＧＣの出力を高速制御する第２の高速化駆動手段と、
　を包含することを特徴とする高速化駆動装置。」
　
２．引用文献の記載事項
　これに対して、原審の拒絶の理由（平成１０年８月２４日付け）で引用された特開平４−３２３９７８号公報（以下、「引用文献１」という）には、次の技術事項が記載されている。
（ａ１）「【産業上の利用分野】
　本発明は、テレビジョン受像機におけるオートプリセット選局装置に関し、特に強電界において発生しがちな無信号チャンネルへのプリセットを防止するものである。
【従来の技術】
　オートプリセット選局装置とは、電源投入時あるいは、オートプリセット動作を命令するためのキー入力が実行されたときの初期の状態において、受信周波数を段階的に変化させて、入力信号レベルの比較的に高いチャンネルの同調電圧データを順次自動的にメモリに記憶してプリセットし、以後は所定のキーの押圧により所望のチャンネルを受信するものである。図４に従来のオートプリセット選局装置のブロック図を描き、これを参照して説明する。アンテナ１に入力されたテレビ信号は、ＥＴチューナ（電子同調式チューナ）２に供給される。
　ＥＴチューナ２は、高周波増幅回路と、局部発振回路、混合回路を含む周波数変換回路とからなり、局部発振回路の発振周波数の変化により、所望のチャンネルに同調するようにしている。
　ＥＴチューナ２内では、前記の発振周波数の信号と、高周波増幅回路により、増幅された信号とが混合回路によって混合される。混合回路は、映像及び中間周波数信号を出力し、後段の映像信号処理回路３に供給する。
　映像信号処理回路３は、ＥＴチューナ２より供給された中間周波信号を増幅、検波するとともに自動利得制御電圧（ＡＧＣ電圧）であるＩＦＡＧＣ電圧とＲＦＡＧＣ電圧を出力する。ＲＦＡＧＣ電圧は、ＥＴチューナ２内の高周波増幅回路にフィードバックされ、ＥＴチューナ２の出力レベルを制御する。ＩＦＡＧＣ電圧は、中間周波信号のレベルを制御する。映像信号処理回路３はこのＩＦＡＧＣ電圧を電圧比較器９に供給する。
　一方、映像信号処理回路３に入力された中間周波信号は、映像検波、映像増幅等の処理を経た後、色信号再生回路６及び同期変更回路７に供給される。色信号再生回路６は、帯域増幅、色復調、マトリックス、原色出力、色同期回路を含んでいる。」（段落【０００１】【０００２】【０００３】【０００４】【０００５】参照） 
（ａ２）「【図４】従来技術によるオートプリセット選局装置。」（【図面の簡単な説明】参照）
　
　以上の記載によれば、引用文献１には、次の発明が記載されている。
「自動利得制御（ＡＧＣ）信号を発生する駆動装置において、
　映像信号処理回路３からＥＴチューナ２に入力するＲＦ　ＡＧＣを出力する手段と、
　映像信号処理回路３からＩＦ　ＡＧＣを出力する手段と、
　を包含する駆動装置。」
　
　また、原審の拒絶の理由（平成１０年８月２４日付け）で引用された実願昭５８−９４０５８号（実開昭６０−４０４６号）のマイクロフィルム（以下、「引用文献２」という）には、次の技術事項が記載されている。
（ｂ１）「本考案は、受信機のＡＧＣ（自動利得制御）電圧発生回路に関する。」（第１頁第１２−１３行目）
（ｂ２）「ＡＧＣ電圧発生回路５は、検波器７の出力を入力とする積分回路を形成するように互いに接続された抵抗Ｒ1及びコンデンサＣ2からなる時定数回路１１と、この時定数回路１１の積分出力を入力とする積分回路を形成するように互いに接続された抵抗Ｒ2及びコンデンサＣ３からなる時定数回路１２とで構成されている。そして、時定数回路１１及び１２の積分出力がそれぞれＩＦアンプ６及びＲＦアンプ２にＡＧＣ電圧として供給されている。」（第３頁第１１−２０行目）
（ｂ３）「本考案による受信機のＡＧＣ電圧発生回路は、受信入力に応じた信号を平滑してＡＧＣ電圧として出力される電圧を発生する時定数回路の時定数が選局動作時に小となるように制御する時定数制御手段を備えた構成となっている。」（第５頁第１−５行目）
（ｂ４）「本考案による受信機のＡＧＣ電圧発生回路は、選局動作時に受信入力に応じた信号を平滑してＡＧＣ電圧として出力する時定数回路の時定数が小さくなるようにした構成となっているので、選局動作時に同調周波数が受信希望局の周波数に一致したとき瞬時に選局動作停止信号が出力されて高速かつ正確な選局動作が可能となる。」（第７頁１２−１９行目）
　
３．対比
　本願発明と、引用文献１に記載された発明とを対比する。
　引用文献１に記載された発明おける「映像信号処理回路３」、「ＥＴチューナ２」は、それぞれ、本願発明の「中間周波信号処理手段」、「同調器」に相当する。
　したがって、本願発明と引用文献１に記載された発明とは次の一致点及び相違点を有する。
（一致点）
　「自動利得制御（ＡＧＣ）信号を発生する駆動装置において、
　中間周波信号処理手段から同調器のＡＧＣに入力されるＲＦ　ＡＧＣを出力する手段と、
　中間周波信号処理手段からＩＦ　ＡＧＣを出力する手段と、
　を包含する駆動装置。」
　
（相違点）
　本願発明では、ＲＦ　ＡＧＣの出力及びＩＦ　ＡＧＣの出力を、それぞれ高速制御する第１の高速化駆動手段及び第２の高速化駆動手段を備えて駆動装置を高速駆動装置としているのに対し、引用文献１に記載された発明は、高速制御する手段を備えていない点。
　
４．当審の判断
　相違点について検討する。
　本願発明において、出力を「高速制御する」及び「高速化駆動」することの技術的意義は、本願明細書の記載、さらに具体的な実施の態様によれば、出力を高速制御するために「通常時、コンデンサＣ１はコンデンサＣ３と並列に接続され、コンデンサＣ２はコンデンサＣ４と並列に接続されているため、Ｃ３及びＣ４がそれぞれ単一状態にあり、自動チャンネル記憶モードの間、全てのコンデンサの容量値は、通常動作中の容量値以下に低減せしめられる（例えば、Ｃ１＞Ｃ３、Ｃ２＞Ｃ４）。このため、 RF AGC 電圧及び IF AGC 電圧は、自動チャンネル記憶モードの間、コンデンサＣ３及びＣ４を介して高速で充電されることができる。」（段落【００３７】参照）及び、「例えば、Ｃ１＝１０μＦ、Ｃ３＝１μＦ、Ｒ１＝１０ｋとすると、時定数ｔ１＝Ｃ３×Ｒ１＝１０ｍｓが高速時（Ｃ１オフ）に必要となり、（Ｃ１＋Ｃ３）×Ｒ１＝１１０ｍｓが通常時に必要となる。さらに、Ｃ２＝２．２μＦ、Ｃ４＝０．１μＦ、Ｒ２（内部インピーダンス）＝３３ｋとすると、時定数（Ｃ２オフ）ｔ２＝Ｃ４×Ｒ２＝３．３ｍｓが高速時（Ｃ２オフ）に必要となり、（Ｃ２＋Ｃ４）×Ｒ２＝７６ｍｓが通常時に必要となる。 RF AGC 及び IF AGC の速度を約１５ｍｓ（１０ｍｓ＋３．３ｍｓ）以内にセットアップすることが可能となる。」（段落【００３８】参照）というものであって、ＡＧＣの時定数を小さくすることにあるものと認められる。
　しかしながら、上記引用文献２には、受信機において、「受信入力に応じた信号を平滑してＡＧＣ電圧として出力される電圧を発生する時定数回路の時定数が選局動作時に小となるように制御する時定数制御手段」（前摘したｂ３）が開示されており、これにより「高速かつ正確」となす（前摘したｂ４）ものであるから、引用文献２には、本願発明における、ＡＧＣの出力を高速制御する高速化駆動手段が記載されている。
　したがって、引用文献１に記載された発明において、ＲＦ　ＡＧＣの出力及びＩＦ　ＡＧＣの出力をそれぞれ高速制御する第１の高速化駆動手段及び第２の高速化駆動手段を備えて駆動装置を高速駆動装置とすることは当業者が容易に想到できたものである。
　
５．むすび
　以上のとおり、本願の請求項１に係る発明は、引用文献１及び引用文献２に記載された発明に基づいて、当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。